(57)【要約】【課題】低価格化、高品質化、短納期化を達成すると共に、事業に結びつかずに消滅することも多かった画期的なアイディアも救済する。【解決手段】コンピュータサーバ１１ではリソースデータベース１１ａを参照して、検索者の希望条件に合致する職務毎のリソースが検索され、これに基づくリソース候補リストが検索端末５１に返送される。検索端末５１では、リソース候補リストを参照してリソースの組み合わせが指定されて、これがコンピュータサーバ１１に送信される。これを受けたコンピュータサーバ１１では、指定された各リソースに対してプロジェクトへの参加可否が打診され、その結果が検索端末５１に返送される。【選択図】図１
2005157630.tif 000002
【特許請求の範囲】
【請求項１】
社内における種々の異なる業務に係るリソースの情報が含まれるデータベースを備えたコンピュータサーバと、これにネットワーク回線を介して接続されると共に前記リソースにそれぞれ対応して配置された複数のコンピュータ端末と、を含んで構成されるコンピュータネットワークを利用して、特定のプロジェクトを遂行するためのチームを編成するための方法であって、
前記コンピュータ端末は、
前記チームを編成するためのリソースを検索する際の検索端末として、
前記プロジェクトを遂行するためのチームを編成するにあたっての職務毎の希望条件を入力するための希望条件入力ステップと、
前記希望条件を前記コンピュータサーバに送信する希望条件送信ステップと、
前記希望条件に基づいて前記コンピュータサーバにて生成されたリソース候補リストを受信するリソース候補リスト受信ステップと、
前記リソース候補リストを表示するリソース候補リスト表示ステップと、を有し、
前記コンピュータサーバは、
前記コンピュータ端末から送信されてくる前記希望条件を受信する希望条件受信ステップと、
前記希望条件が受信されると、前記データベースにアクセスして、前記職務毎に前記希望条件に合致するリソース候補を検索し、この検索結果に基づく前記リソース候補リストを作成するリソース候補リスト作成ステップと、
前記リソース候補リストを前記希望条件を送信してきた前記コンピュータ端末宛に送信するリソース候補リスト送信ステップと、を有する、
ことを特徴とするプロジェクトチーム編成方法。
【請求項２】
請求項１記載のプロジェクトチーム編成方法において、
前記コンピュータ端末は、
前記検索端末として、
前記リソース候補リストから前記職務毎に必要なリソースをそれぞれ指定するためのリソース指定ステップと、
前記指定された前記職務毎に必要なリソースを指定リソースとして、前記コンピュータサーバに送信する指定リソース送信ステップと、
前記指定リソースに基づいて前記コンピュータサーバにて生成されたリソース組合せ表を受信するリソース組合せ表受信ステップと、
前記リソース組合せ表を表示するリソース組合せ表表示ステップと、を更に有し、
前記コンピュータサーバは、
前記指定リソースを受信する指定リソース受信ステップと、
前記指定リソースにそれぞれ割り当てられている前記コンピュータ端末宛に当該プロジェクトへの参加可否を打診する参加可否打診ステップと、
前記指定リソースにそれぞれ割り当てられている前記コンピュータ端末から送信されてくる当該プロジェクトへの参加可否情報を受信する参加可否情報受信ステップと、
前記参加可否情報により参加可と回答してきた前記指定リソースの職務毎の組み合わせを示す前記リソース組合せ表を生成するリソース組合せ表生成ステップと、
前記リソース組合せ表を前記希望条件を送信してきた前記コンピュータ端末宛に送信するリソース組合せ表送信ステップと、を更に有し、
前記コンピュータ端末は、
前記リソースの候補として検索される際の被検索端末として、
前記参加可否の打診を受信する打診受信ステップと、
前記打診に対する回答として当該プロジェクトへの参加可否情報を入力するための参加可否情報入力ステップと、
前記参加可否情報を前記コンピュータサーバに送信する参加可否情報送信ステップと、を有する、
ことを特徴とするプロジェクトチーム編成方法。
【請求項３】
社内における種々の異なる業務に係るリソースの情報が含まれるデータベースを備えたコンピュータサーバと、これにネットワーク回線を介して接続されると共に前記リソースにそれぞれ対応して配置された複数のコンピュータ端末と、を含んで構成されるコンピュータネットワークを利用して、特定のプロジェクトを遂行するためのチームを編成するための方法であって、
前記コンピュータ端末は、
前記チームを編成するためのリソースを検索する際の検索端末として、
前記プロジェクトを遂行するためのチームを編成するにあたっての職務毎の希望条件を入力するための希望条件入力ステップと、
前記希望条件を前記コンピュータサーバに送信する希望条件送信ステップと、
前記希望条件に基づいて前記コンピュータサーバにて生成されたリソース組合せ表を受信するリソース組合せ表受信ステップと、
前記リソース組合せ表を表示するリソース組合せ表表示ステップと、を有し、
前記コンピュータサーバは、
前記コンピュータ端末から送信されてくる前記希望条件を受信する希望条件受信ステップと、
前記希望条件に含まれる所望のリソースにそれぞれ割り当てられている前記コンピュータ端末宛に当該プロジェクトへの参加可否を打診する参加可否打診ステップと、
前記リソースにそれぞれ割り当てられている前記コンピュータ端末から送信されてくる当該プロジェクトへの参加可否情報を受信する参加可否情報受信ステップと、
前記参加可否情報により参加可と回答してきた前記リソースの職務毎の組み合わせを示す前記リソース組合せ表を生成するリソース組合せ表生成ステップと、
前記リソース組合せ表を前記希望条件を送信してきた前記コンピュータ端末宛に送信するリソース組合せ表送信ステップと、を有し、
前記コンピュータ端末は、
前記リソースの候補として検索される際の被検索端末として、
前記参加可否の打診を受信する打診受信ステップと、
前記打診に対する回答として当該プロジェクトへの参加可否情報を入力するための参加可否情報入力ステップと、
前記参加可否情報を前記コンピュータサーバに送信する参加可否情報送信ステップと、を有する、
ことを特徴とするプロジェクトチーム編成方法。
【請求項４】
請求項２記載のプロジェクトチーム編成方法において、
前記コンピュータ端末は、
前記検索端末として、
前記リソース組合せ表の内容を承認する承認情報を入力するための承認情報入力ステップと、
前記承認情報を前記コンピュータサーバに送信する承認情報送信ステップと、を更に有し、
前記コンピュータサーバは、
前記承認情報を受信する承認情報受信ステップと、
前記承認情報が受信されると、前記リソース組合せ表に含まれる各リソースにそれぞれ割り当てられている前記コンピュータ端末宛に当該プロジェクトの開始指令を送信する開始指令送信ステップと、を更に有する、
ことを特徴とするプロジェクトチーム編成方法。
【請求項５】
請求項４記載のプロジェクトチーム編成方法において、
前記リソース候補リスト作成ステップでは、
前記希望条件に基づいて、前記リソース候補に前記職務毎に優先順位をつけて前記リソース候補リストを作成する、
ことを特徴とするプロジェクトチーム編成方法。
【請求項６】
請求項４又は請求項５記載のプロジェクトチーム編成方法において、
前記コンピュータ端末は、
前記被検索端末として、
入力された当該プロジェクトの進捗状況を送信する進捗状況送信ステップ、を更に有し、
前記コンピュータサーバは、
前記進捗状況を受信する進捗状況受信ステップと、
受信した前記進捗状況を、前記コンピュータ端末のすべてから閲覧可能に保存する進捗状況保存ステップと、を更に有する、
ことを特徴とするプロジェクトチーム編成方法。
【請求項７】
社内における種々の異なる業務に係るリソースの情報が含まれるデータベースを備えたコンピュータサーバと、これにネットワーク回線を介して接続されると共に前記リソースにそれぞれ対応して配置された複数のコンピュータ端末と、を含んで構成されるコンピュータネットワークを利用して、特定のプロジェクトを遂行するためのチームを編成するシステムであって、
前記コンピュータ端末は、
前記チームを編成するためのリソースを検索する際の検索端末として、
前記プロジェクトを遂行するためのチームを編成するにあたっての職務毎の希望条件を入力するための希望条件入力手段と、
前記希望条件を前記コンピュータサーバに送信する希望条件送信手段と、
前記希望条件に基づいて前記コンピュータサーバにて生成されたリソース候補リストを受信するリソース候補リスト受信手段と、
前記リソース候補リストを表示するリソース候補リスト表示手段と、を有し、
前記コンピュータサーバは、
前記コンピュータ端末から送信されてくる前記希望条件を受信する希望条件受信手段と、
前記希望条件が受信されると、前記データベースにアクセスして、前記職務毎に前記希望条件に合致するリソース候補を検索し、この検索結果に基づく前記リソース候補リストを作成するリソース候補リスト作成手段と、
前記リソース候補リストを前記希望条件を送信してきた前記コンピュータ端末宛に送信するリソース候補リスト送信手段と、を有する、
ことを特徴とするプロジェクトチーム編成システム。
【請求項８】
請求項７記載のプロジェクトチーム編成システムにおいて、
前記コンピュータ端末は、
前記検索端末として、
前記リソース候補リストから前記職務毎に必要なリソースをそれぞれ指定するためのリソース指定手段と、
前記指定された前記職務毎に必要なリソースを指定リソースとして、前記コンピュータサーバに送信する指定リソース送信手段と、
前記指定リソースに基づいて前記コンピュータサーバにて生成されたリソース組合せ表を受信するリソース組合せ表受信手段と、
前記リソース組合せ表を表示するリソース組合せ表表示手段と、を更に有し、
前記コンピュータサーバは、
前記指定リソースを受信する指定リソース受信手段と、
前記指定リソースにそれぞれ割り当てられている前記コンピュータ端末宛に当該プロジェクトへの参加可否を打診する参加可否打診手段と、
前記指定リソースにそれぞれ割り当てられている前記コンピュータ端末から送信されてくる当該プロジェクトへの参加可否情報を受信する参加可否情報受信手段と、
前記参加可否情報により参加可と回答してきた前記指定リソースの職務毎の組み合わせを示す前記リソース組合せ表を生成するリソース組合せ表生成手段と、
前記リソース組合せ表を前記希望条件を送信してきた前記コンピュータ端末宛に送信するリソース組合せ表送信手段と、を更に有し、
前記コンピュータ端末は、
前記リソースの候補として検索される際の被検索端末として、
前記参加可否の打診を受信する打診受信手段と、
前記打診に対する回答として当該プロジェクトへの参加可否情報を入力するための参加可否情報入力手段と、
前記参加可否情報を前記コンピュータサーバに送信する参加可否情報送信手段と、を有する、
ことを特徴とするプロジェクトチーム編成システム。
【請求項９】
請求項８記載のプロジェクトチーム編成システムにおいて、
前記コンピュータ端末は、
前記検索端末として、
前記リソース組合せ表の内容を承認する承認情報を入力するための承認情報入力手段と、
前記承認情報を前記コンピュータサーバに送信する承認情報送信手段、を更に有し、
前記コンピュータサーバは、
前記承認情報を受信する承認情報受信手段と、
前記承認情報が受信されると、前記リソース組合せ表に含まれる各リソースにそれぞれ割り当てられている前記コンピュータ端末宛に当該プロジェクトの開始指令を送信する開始指令送信手段と、を更に有する、
ことを特徴とするプロジェクトチーム編成システム。
【請求項１０】
所定のネットワーク回線を介して接続された複数のコンピュータ端末を利用して、特定のプロジェクトを遂行するためのチームを編成するための装置であって、
社内における種々の異なる業務に係るリソースの情報が含まれるデータベースを格納するリソースデータベース格納手段と、
前記複数のコンピュータ端末のうちで、前記チームを編成するためのリソースを検索する際の検索端末として機能している前記コンピュータ端末から送信されてくる、前記プロジェクトを遂行するためのチームを編成するにあたっての職務毎の希望条件、を受信する希望条件受信手段と、
前記希望条件が受信されると、前記データベースにアクセスして、前記職務毎に前記希望条件に合致するリソース候補を検索し、この検索結果に基づく前記リソース候補リストを作成するリソース候補リスト作成手段と、
前記リソース候補リストを前記希望条件を送信してきた前記コンピュータ端末に送信するリソース候補リスト送信手段と、
を有することを特徴とするプロジェクトチーム編成装置。
【請求項１１】
請求項１０記載のプロジェクトチーム編成装置において、
前記検索端末として機能している前記コンピュータ端末にて、前記リソース候補リストから前記職務毎に必要なリソースとして指定された指定リソースを受信する指定リソース受信手段と、
前記複数のコンピュータ端末のうちで、前記指定リソースにそれぞれ割り当てられている前記コンピュータ端末宛に当該プロジェクトへの参加可否を打診する参加可否打診手段と、
前記指定リソースにそれぞれ割り当てられている前記コンピュータ端末から送信されてくる当該プロジェクトへの参加可否情報を受信する参加可否情報受信手段と、
前記参加可否情報により参加可と回答してきた前記指定リソースの職務毎の組み合わせを示す前記リソース組合せ表を生成するリソース組合せ表生成手段と、
前記リソース組合せ表を前記希望条件を送信してきた前記コンピュータ端末宛に送信するリソース組合せ表送信手段と、
を更に有することを特徴とするプロジェクトチーム編成装置。
【請求項１２】
請求項１１記載のプロジェクトチーム編成装置において、
前記希望条件を送信してきた前記コンピュータ端末にて入力された前記リソース組合せ表の内容を承認する承認情報を受信する承認情報受信手段と、
前記承認情報が受信されると、前記リソース組合せ表に含まれる各リソースにそれぞれ割り当てられている前記コンピュータ端末宛に当該プロジェクトの開始指令を送信する開始指令送信手段と、
を更に有することを特徴とするプロジェクトチーム編成装置。
【発明の詳細な説明】
【技術分野】
【０００１】
本発明は、特定のプロジェクトを遂行するためのチームを編成するために有用な方法、そのシステム及びその装置に関し、特に、低価格化、高品質化、短納期化を達成するために、利用可能なリソースを有効に利用して最適なプロジェクトチームを編成することを可能にする方法、そのシステム及びその装置に関する。
【背景技術】
【０００２】
近年、車両メーカや大手部品メーカ等のような比較的規模の大きい会社では、事業部制或いはユニット制等とよばれる独立採算性の組織がしかれていることが多い。例えば、図２に示すように、大手部品メーカにおいて採用されている事業部制（ユニット制）においては、営業部門２、設計部門３、製造部門４等においてそれぞれ、各顧客Ａ〜Ｄに対してそれぞれ割り当てられた各事業部（各ユニット）が存在し、更に各事業部が複数の部、課、各個人で構成されるというような組織構成になっている。なお、事業部制（ユニット制）においては、図２に示す営業窓口１も、各顧客Ａ〜Ｄ毎にそれぞれ割り当てらた営業窓口１Ａ〜１Ｄ（不図示）から構成されることが多い。
【０００３】
従来、このような組織構成において、例えば、営業窓口が特定の顧客から製品を受注したり、その受注活動を行う際には、その顧客に関連する各部署が、営業部門、設計部門、製造部門毎に縦方向に必然的に割り当てられ、これにしたがって関連業務が遂行されるようになっていた。すなわち、従来、比較的規模の大きい会社では、製品を受注したり、その受注活動を行う際には、縦割り式の事業部制（ユニット制）等の組織構造をそのまま利用することが常識となっていた。
【発明の開示】
【発明が解決しようとする課題】
【０００４】
ところが、このような従来の固定的な縦割り式の業務遂行方法では、近年の低価格、高品質、短納期の要望に十分に対応しきれなくなってきている。例えば、業務の混み具合や各種見積もり条件等によっては、その顧客に直接関連する部署よりも、より該当業務に適している他部署が社内に存在することも十分あり得るはずであるが、従来、その検索方法や遂行方法等が十分に確立されていなかった。このため、従来の固定的な縦割り式の業務遂行方法を採用せざるを得ず、これが、高価格、低品質、長納期をもたらす要因のひとつになっていた。希に、小規模、部分的なコンカレント活動が試行はされることもあるが、その方法が十分に確立されてないために、一過性で終わることが多かった。
【０００５】
また、経営者やその代行者、或いは一担当員が、画期的な製品を発案し、これに係る新プロジェクトを立ち上げようとしても、どのように最適な人材や設備等のリソースを社内で集めればよいのか、どの顧客にいくらで売り込めばよいか等を判断するのは、従来の縦割りの業務遂行方法では、非常に困難であった。特に、一担当員が、画期的な製品を発案したとしても、これを業務に結びつけることは、実際上ほぼ不可能であった。すなわち、従来の業務遂行方法では、画期的なアイディアが発案されても、事業に結びつかずに消滅することも多かった。
【０００６】
なお、本明細書中、製品の受注やその受注活動をはじめとして、製品のマーケティング、研究開発、製造、販売、保守設備投資等を実行するために計画を立て行う活動を、プロジェクトとよぶ。補足すると、このプロジェクトとは、研究開発等の単独業務に関するものであってもよいし、マーケティングから保守まですべての業務を含むものであってもよい。
【０００７】
よって本発明は、上述した現状に鑑み、近年求められている、低価格化、高品質化、短納期化を達成することを可能にすると共に、事業に結びつかずに消滅することも多かった画期的なアイディアも救済可能になるプロジェクトチーム編成方法、そのシステム及びその装置を提供することを課題としている。
【課題を解決するための手段】
【０００８】
上記課題を解決するためになされた請求項１記載のプロジェクトチーム編成方法は、社内における種々の異なる業務に係るリソースの情報が含まれるデータベースを備えたコンピュータサーバと、これにネットワーク回線を介して接続されると共に前記リソースにそれぞれ対応して配置された複数のコンピュータ端末と、を含んで構成されるコンピュータネットワークを利用して、特定のプロジェクトを遂行するためのチームを編成するための方法であって、前記コンピュータ端末は、前記チームを編成するためのリソースを検索する際の検索端末として、前記プロジェクトを遂行するためのチームを編成するにあたっての職務毎の希望条件を入力するための希望条件入力ステップと、前記希望条件を前記コンピュータサーバに送信する希望条件送信ステップと、前記希望条件に基づいて前記コンピュータサーバにて生成されたリソース候補リストを受信するリソース候補リスト受信ステップと、前記リソース候補リストを表示するリソース候補リスト表示ステップと、を有し、前記コンピュータサーバは、前記コンピュータ端末から送信されてくる前記希望条件を受信する希望条件受信ステップと、前記希望条件が受信されると、前記データベースにアクセスして、前記職務毎に前記希望条件に合致するリソース候補を検索し、この検索結果に基づく前記リソース候補リストを作成するリソース候補リスト作成ステップと、前記リソース候補リストを前記希望条件を送信してきた前記コンピュータ端末宛に送信するリソース候補リスト送信ステップと、を有する、ことを特徴とする。
【０００９】
請求項１記載の発明によれば、特定のプロジェクトを遂行するためのチームを編成するためのリソースを検索する際の検索端末として機能しているコンピュータ端末では職務毎の希望条件が入力され、希望条件がコンピュータサーバに送信される。また、コンピュータサーバでは、社内における種々の異なる業務に係るリソースの情報が含まれるデータベースが装備されており、コンピュータ端末から送信されてくる希望条件が受信されると、データベースにアクセスして、職務毎に希望条件に合致するリソース候補が検索されこの検索結果に基づくリソース候補リストが作成されて、このリソース候補リストが希望条件を送信してきたコンピュータ端末宛に送信される。そして、リソース候補リストを受信したコンピュータ端末では、このリソース候補リストが表示される。
【００１０】
このように、社内における種々の異なる業務に係るリソースの情報が含まれるデータベースを参照して、条件に合致する職務毎のリソースが検索されて表示されるので、縦割り式の組織構造にとらわれることなく、利用可能なリソースを調査することが可能になる。また、複数のコンピュータ端末はいずれも上記検索端末となり得るので、経営者やその代行者等のいずれの社員でも、立ち上げようとしているプロジェクトにおいて、希望条件に合致する利用可能なリソースを容易に一覧して検討することが可能になる。
【００１１】
上記課題を解決するためになされた請求項２記載のプロジェクトチーム編成方法は、請求項１記載のプロジェクトチーム編成方法において、前記コンピュータ端末は、前記検索端末として、前記リソース候補リストから前記職務毎に必要なリソースをそれぞれ指定するためのリソース指定ステップと、前記指定された前記職務毎に必要なリソースを指定リソースとして、前記コンピュータサーバに送信する指定リソース送信ステップと、前記指定リソースに基づいて前記コンピュータサーバにて生成されたリソース組合せ表を受信するリソース組合せ表受信ステップと、前記リソース組合せ表を表示するリソース組合せ表表示ステップと、を更に有し、前記コンピュータサーバは、前記指定リソースを受信する指定リソース受信ステップと、前記指定リソースにそれぞれ割り当てられている前記コンピュータ端末宛に当該プロジェクトへの参加可否を打診する参加可否打診ステップと、前記指定リソースにそれぞれ割り当てられている前記コンピュータ端末から送信されてくる当該プロジェクトへの参加可否情報を受信する参加可否情報受信ステップと、前記参加可否情報により参加可と回答してきた前記指定リソースの職務毎の組み合わせを示す前記リソース組合せ表を生成するリソース組合せ表生成ステップと、前記リソース組合せ表を前記希望条件を送信してきた前記コンピュータ端末宛に送信するリソース組合せ表送信ステップと、を更に有し、前記コンピュータ端末は、前記リソースの候補として検索される際の被検索端末として、前記参加可否の打診を受信する打診受信ステップと、前記打診に対する回答として当該プロジェクトへの参加可否情報を入力するための参加可否情報入力ステップと、前記参加可否情報を前記コンピュータサーバに送信する参加可否情報送信ステップと、を有する、ことを特徴とする。
【００１２】
請求項２記載の発明によれば、検索端末として機能しているコンピュータ端末では、リソース候補リストから職務毎に必要なリソースがそれぞれ指定され、これが指定リソースとしてコンピュータサーバに送信される。コンピュータサーバでは、指定リソースが受信され、指定リソースにそれぞれ割り当てられているコンピュータ端末宛に当該プロジェクトへの参加可否が打診される。この打診を受信したコンピュータ端末では、打診に対する回答として当該プロジェクトへの参加可否情報が入力されて、これがコンピュータサーバに送信される。コンピュータサーバでは、参加可否情報が受信され、参加可否情報により参加可と回答してきたリソースの職務毎の組み合わせを示すリソース組合せ表が生成され、これが希望条件を送信してきたコンピュータ端末宛に送信される。そして、リソース組合せ表を受信したコンピュータ端末にて、この組合せ表が表示される。
【００１３】
このように、リソース候補リストのうちから指定されたリソースに対して当該プロジェクトへの参加可否が打診され、参加可と回答してきたリソースの職務毎の組み合わせを示すリソース組合せ表が生成され、これが希望条件を送信してきたコンピュータ端末宛に送信されて表示されるので、利用可能なリソースを有効活用した実現性の高いチーム構成を予め把握可能になる。
【００１４】
上記課題を解決するためになされた請求項３記載のプロジェクトチーム編成方法は、社内における種々の異なる業務に係るリソースの情報が含まれるデータベースを備えたコンピュータサーバと、これにネットワーク回線を介して接続されると共に前記リソースにそれぞれ対応して配置された複数のコンピュータ端末と、を含んで構成されるコンピュータネットワークを利用して、特定のプロジェクトを遂行するためのチームを編成するための方法であって、前記コンピュータ端末は、前記チームを編成するためのリソースを検索する際の検索端末として、前記プロジェクトを遂行するためのチームを編成するにあたっての職務毎の希望条件を入力するための希望条件入力ステップと、前記希望条件を前記コンピュータサーバに送信する希望条件送信ステップと、前記希望条件に基づいて前記コンピュータサーバにて生成されたリソース組合せ表を受信するリソース組合せ表受信ステップと、前記リソース組合せ表を表示するリソース組合せ表表示ステップと、を有し、前記コンピュータサーバは、前記コンピュータ端末から送信されてくる前記希望条件を受信する希望条件受信ステップと、前記希望条件に含まれる所望のリソースにそれぞれ割り当てられている前記コンピュータ端末宛に当該プロジェクトへの参加可否を打診する参加可否打診ステップと、前記リソースにそれぞれ割り当てられている前記コンピュータ端末から送信されてくる当該プロジェクトへの参加可否情報を受信する参加可否情報受信ステップと、前記参加可否情報により参加可と回答してきた前記リソースの職務毎の組み合わせを示す前記リソース組合せ表を生成するリソース組合せ表生成ステップと、前記リソース組合せ表を前記希望条件を送信してきた前記コンピュータ端末宛に送信するリソース組合せ表送信ステップと、を有し、前記コンピュータ端末は、前記リソースの候補として検索される際の被検索端末として、前記参加可否の打診を受信する打診受信ステップと、前記打診に対する回答として当該プロジェクトへの参加可否情報を入力するための参加可否情報入力ステップと、前記参加可否情報を前記コンピュータサーバに送信する参加可否情報送信ステップと、を有する、ことを特徴とする。
【００１５】
請求項３記載の発明によれば、希望条件に含まれる所望のリソースに対して当該プロジェクトへの参加可否が打診され、参加可と回答してきたリソースの職務毎の組み合わせを示すリソース組合せ表が生成され、これが希望条件を送信してきたコンピュータ端末宛に送信されて表示されるので、利用可能なリソースを有効活用した実現性の高いチーム構成を予め把握可能になる。したがって、プロジェクトの実現性、準備、検討等を事前により現実に近い形で検討することが可能になる。
【００１６】
上記課題を解決するためになされた請求項４記載のプロジェクトチーム編成方法は、請求項２記載のプロジェクトチーム編成方法において、前記コンピュータ端末は、前記検索端末として、前記リソース組合せ表の内容を承認する承認情報を入力するための承認情報入力ステップと、前記承認情報を前記コンピュータサーバに送信する承認情報送信ステップと、を更に有し、前記コンピュータサーバは、前記承認情報を受信する承認情報受信ステップと、前記承認情報が受信されると、前記リソース組合せ表に含まれる各リソースにそれぞれ割り当てられている前記コンピュータ端末宛に当該プロジェクトの開始指令を送信する開始指令送信ステップと、を更に有する、ことを特徴とする。
【００１７】
請求項４記載の発明によれば、上述してきた処理に加えて、検索端末として機能するコンピュータ端末では、サーバから送信されてきたリソース組合せ表の内容を承認する承認情報が入力され、この承認情報がコンピュータサーバに送信される。また、コンピュータサーバでは、承認情報が受信されると、承認されたリソース組合せ表に含まれる各リソースにそれぞれ割り当てられているコンピュータ端末宛に当該プロジェクトの開始指令が送信される。これらにより、プロジェクトチーム編成からプロジェクト開始まで、縦割り式の組織構造にとらわれることなく、利用可能なリソースを有効活用して遂行可能になる。
【００１８】
上記課題を解決するためになされた請求項５記載のプロジェクトチーム編成方法は、請求項４記載のプロジェクトチーム編成方法において、前記リソース候補リスト作成ステップでは、前記希望条件に基づいて、前記リソース候補に前記職務毎に優先順位をつけて前記リソース候補リストを作成する、ことを特徴とする。
【００１９】
請求項５記載の発明によれば、上記リソース候補リストにおいては、希望条件に基づいてリソース候補に職務毎に優先順位がつけられている。したがって、プロジェクトの実現性、準備、検討等の事前検討が容易になる。
【００２０】
上記課題を解決するためになされた請求項６記載のプロジェクトチーム編成方法は、請求項４又は請求項５記載のプロジェクトチーム編成方法において、前記コンピュータ端末は、前記被検索端末として、入力された当該プロジェクトの進捗状況を送信する進捗状況送信ステップ、を更に有し、前記コンピュータサーバは、前記進捗状況を受信する進捗状況受信ステップと、受信した前記進捗状況を、前記コンピュータ端末のすべてから閲覧可能に保存する進捗状況保存ステップと、を更に有する、ことを特徴とする。
【００２１】
請求項６記載の発明によれば、被検索端末として機能しているコンピュータ端末から当該プロジェクトの進捗状況が送信されてきて、これがコンピュータサーバにて、コンピュータ端末のすべてから閲覧可能に保存されている。したがって、リアルタイムで進捗管理をしたり、他のプロジェクト遂行のための参考資料を容易に取得することが可能になる。
【００２２】
上記課題を解決するためになされた請求項７記載のプロジェクトチーム編成システムは、図１に示すように、社内における種々の異なる業務に係るリソースの情報が含まれるデータベースを備えたコンピュータサーバ１１と、これにネットワーク回線を介して接続されると共に前記リソースにそれぞれ対応して配置された複数のコンピュータ端末と、を含んで構成されるコンピュータネットワークを利用して、特定のプロジェクトを遂行するためのチームを編成するシステムであって、前記コンピュータ端末は、前記チームを編成するためのリソースを検索する際の検索端末５１として、前記プロジェクトを遂行するためのチームを編成するにあたっての職務毎の希望条件を入力するための希望条件入力手段５１１と、前記希望条件を前記コンピュータサーバ１１に送信する希望条件送信手段５１２と、前記希望条件に基づいて前記コンピュータサーバ１１にて生成されたリソース候補リストを受信するリソース候補リスト受信手段５１３と、前記リソース候補リストを表示するリソース候補リスト表示手段５１４と、を有し、前記コンピュータサーバ１１は、前記コンピュータ端末から送信されてくる前記希望条件を受信する希望条件受信手段１１１と、前記希望条件が受信されると、前記データベースにアクセスして、前記職務毎に前記希望条件に合致するリソース候補を検索し、この検索結果に基づく前記リソース候補リストを作成するリソース候補リスト作成手段１１３と、前記リソース候補リストを前記希望条件を送信してきた前記コンピュータ端末宛に送信するリソース候補リスト送信手段１１４と、を有する、ことを特徴とする。
【００２３】
請求項７記載の発明によれば、特定のプロジェクトを遂行するためのチームを編成するためのリソースを検索する際の検索端末として機能しているコンピュータ端末では職務毎の希望条件が入力され、希望条件がコンピュータサーバに送信される。また、コンピュータサーバでは、社内における種々の異なる業務に係るリソースの情報が含まれるデータベースが装備されており、コンピュータ端末から送信されてくる希望条件が受信されると、データベースにアクセスして、職務毎に希望条件に合致するリソース候補が検索されこの検索結果に基づくリソース候補リストが作成されて、このリソース候補リストが希望条件を送信してきたコンピュータ端末宛に送信される。そして、リソース候補リストを受信したコンピュータ端末では、このリソース候補リストが表示される。
【００２４】
このように、社内における種々の異なる業務に係るリソースの情報が含まれるデータベースを参照して、条件に合致する職務毎のリソースが検索されて表示されるので、縦割り式の組織構造にとらわれることなく、利用可能なリソースを調査することが可能になる。また、複数のコンピュータ端末はいずれも上記検索端末となり得るので、経営者やその代行者等のいずれの社員でも、立ち上げようとしているプロジェクトにおいて、希望条件に合致する利用可能なリソースを容易に一覧して検討することが可能になる。
【００２５】
上記課題を解決するためになされた請求項８記載のプロジェクトチーム編成システムは、図１に示すように、請求項７記載のプロジェクトチーム編成システムにおいて、前記コンピュータ端末は、前記検索端末５１として、前記リソース候補リストから前記職務毎に必要なリソースをそれぞれ指定するためのリソース指定手段５１５と、前記指定された前記職務毎に必要なリソースを指定リソースとして、前記コンピュータサーバ１１に送信する指定リソース送信手段５１６と、前記指定リソースに基づいて前記コンピュータサーバ１１にて生成されたリソース組合せ表を受信するリソース組合せ表受信手段５１７と、前記リソース組合せ表を表示するリソース組合せ表表示手段５１８と、を更に有し、前記コンピュータサーバ１１は、前記指定リソースを受信する指定リソース受信手段１１５と、前記指定リソースにそれぞれ割り当てられている前記コンピュータ端末宛に当該プロジェクトへの参加可否を打診する参加可否打診手段１１６と、前記指定リソースにそれぞれ割り当てられている前記コンピュータ端末から送信されてくる当該プロジェクトへの参加可否情報を受信する参加可否情報受信手段１１７と、前記参加可否情報により参加可と回答してきた前記指定リソースの職務毎の組み合わせを示す前記リソース組合せ表を生成するリソース組合せ表生成手段１１８と、前記リソース組合せ表を前記希望条件を送信してきた前記コンピュータ端末宛に送信するリソース組合せ表送信手段１１９と、を更に有し、前記コンピュータ端末は、前記リソースの候補として検索される際の被検索端末２１として、前記参加可否の打診を受信する打診受信手段２１１と、前記打診に対する回答として当該プロジェクトへの参加可否情報を入力するための参加可否情報入力手段２１２と、前記参加可否情報を前記コンピュータサーバ１１に送信する参加可否情報送信手段２１３と、を有する、ことを特徴とする。
【００２６】
請求項８記載の発明によれば、検索端末として機能しているコンピュータ端末では、リソース候補リストから職務毎に必要なリソースがそれぞれ指定され、これが指定リソースとしてコンピュータサーバに送信される。コンピュータサーバでは、指定リソースが受信され、指定リソースにそれぞれ割り当てられているコンピュータ端末宛に当該プロジェクトへの参加可否が打診される。この打診を受信したコンピュータ端末では、打診に対する回答として当該プロジェクトへの参加可否情報が入力されて、これがコンピュータサーバに送信される。コンピュータサーバでは、参加可否情報が受信され、参加可否情報により参加可と回答してきたリソースの職務毎の組み合わせを示すリソース組合せ表が生成され、これが希望条件を送信してきたコンピュータ端末宛に送信される。そして、リソース組合せ表を受信したコンピュータ端末にて、この組合せ表が表示される。
【００２７】
このように、リソース候補リストのうちから指定されたリソースに対して当該プロジェクトへの参加可否が打診され、参加可と回答してきたリソースの職務毎の組み合わせを示すリソース組合せ表が生成され、これが希望条件を送信してきたコンピュータ端末宛に送信されて表示されるので、利用可能なリソースを有効活用した実現性の高いチーム構成を予め把握可能になる。
【００２８】
上記課題を解決するためになされた請求項９記載のプロジェクトチーム編成システムは、図１に示すように、請求項８記載のプロジェクトチーム編成システムにおいて、前記コンピュータ端末は、前記検索端末５１として、前記リソース組合せ表の内容を承認する承認情報を入力するための承認情報入力手段５１９と、前記承認情報を前記コンピュータサーバ１１に送信する承認情報送信手段５２０、を更に有し、前記コンピュータサーバ１１は、前記承認情報を受信する承認情報受信手段１２０と、前記承認情報が受信されると、前記リソース組合せ表に含まれる各リソースにそれぞれ割り当てられている前記コンピュータ端末宛に当該プロジェクトの開始指令を送信する開始指令送信手段１２１と、を更に有する、ことを特徴とする。
【００２９】
請求項９記載の発明によれば、上述してきた処理に加えて、検索端末として機能するコンピュータ端末では、サーバから送信されてきたリソース組合せ表の内容を承認する承認情報が入力され、この承認情報がコンピュータサーバに送信される。また、コンピュータサーバでは、承認情報が受信されると、承認されたリソース組合せ表に含まれる各リソースにそれぞれ割り当てられているコンピュータ端末宛に当該プロジェクトの開始指令が送信される。これらにより、プロジェクトチーム編成からプロジェクト開始まで、縦割り式の組織構造にとらわれることなく、利用可能なリソースを有効活用して遂行可能になる。
【００３０】
上記課題を解決するためになされた請求項１０記載のプロジェクトチーム編成装置は、図１に示すように、所定のネットワーク回線を介して接続された複数のコンピュータ端末を利用して、特定のプロジェクトを遂行するためのチームを編成するための装置であって、社内における種々の異なる業務に係るリソースの情報が含まれるデータベースを格納するリソースデータベース格納手段１１aと、前記複数のコンピュータ端末のうちで、前記チームを編成するためのリソースを検索する際の検索端末５１として機能している前記コンピュータ端末から送信されてくる、前記プロジェクトを遂行するためのチームを編成するにあたっての職務毎の希望条件、を受信する希望条件受信手段１１１と、前記希望条件が受信されると、前記データベースにアクセスして、前記職務毎に前記希望条件に合致するリソース候補を検索し、この検索結果に基づく前記リソース候補リストを作成するリソース候補リスト作成手段１１３と、前記リソース候補リストを前記希望条件を送信してきた前記コンピュータ端末に送信するリソース候補リスト送信手段１１４と、を有することを特徴とする。
【００３１】
請求項１０記載の発明によれば、社内における種々の異なる業務に係るリソースの情報が含まれるデータベースが装備されており、チームを編成するためのリソースを検索する際の検索端末として機能しているコンピュータ端末から送信されてくる希望条件が受信されると、データベースにアクセスして、職務毎に希望条件に合致するリソース候補が検索されて、この検索結果に基づくリソース候補リストが作成され、これが希望条件を送信してきたコンピュータ端末に送信される。これにより、コンピュータ端末側において、利用可能なリソースを有効活用して編成可能なチーム構成を予め把握して、プロジェクトの実現性、準備、検討等を事前に検討することを可能にする。したがって、近年の低価格化、高品質化、短納期化を達成するための一助となる。
【００３２】
上記課題を解決するためになされた請求項１１記載のプロジェクトチーム編成装置は、図１に示すように、請求項１０記載のプロジェクトチーム編成装置において、前記検索端末５１として機能している前記コンピュータ端末にて、前記リソース候補リストから前記職務毎に必要なリソースとして指定された指定リソースを受信する指定リソース受信手段１１５と、前記複数のコンピュータ端末のうちで、前記指定リソースにそれぞれ割り当てられている前記コンピュータ端末宛に当該プロジェクトへの参加可否を打診する参加可否打診手段１１６と、前記指定リソースにそれぞれ割り当てられている前記コンピュータ端末から送信されてくる当該プロジェクトへの参加可否情報を受信する参加可否情報受信手段１１７と、前記参加可否情報により参加可と回答してきた前記指定リソースの職務毎の組み合わせを示す前記リソース組合せ表を生成するリソース組合せ表生成手段１１８と、前記リソース組合せ表を前記希望条件を送信してきた前記コンピュータ端末宛に送信するリソース組合せ表送信手段１１９と、を更に有することを特徴とする。
【００３３】
請求項１１記載の発明によれば、検索端末として機能しているコンピュータ端末にてリソース候補リストのうちから指定されたリソースが受信され、指定されたリソースに割り当てられているコンピュータ端末宛に当該プロジェクトへの参加可否が打診され、打診に応答して参加可と回答してきた指定リソースの職務毎の組み合わせを示すリソース組合せ表が生成され、これが希望条件を送信してきたコンピュータ端末（検索端末）宛に送信される。これにより、コンピュータ端末側において、利用可能なリソースを有効活用した実現性の高いチーム構成を予め把握することを可能にする。したがって、プロジェクトの実現性、準備、検討等を事前により現実に近い形で検討することが可能になる。
【００３４】
上記課題を解決するためになされた請求項１２記載のプロジェクトチーム編成装置は、図１に示すように、請求項１１記載のプロジェクトチーム編成装置において、前記希望条件を送信してきた前記コンピュータ端末にて入力された前記リソース組合せ表の内容を承認する承認情報を受信する承認情報受信手段１２０と、前記承認情報が受信されると、前記リソース組合せ表に含まれる各リソースにそれぞれ割り当てられている前記コンピュータ端末宛に当該プロジェクトの開始指令を送信する開始指令送信手段１２１と、を更に有することを特徴とする。
【００３５】
請求項１２記載の発明によれば、上述してきた処理に加えて、希望条件を送信してきたコンピュータ端末にて入力されたリソース組合せ表の内容を承認する承認情報が受信されると、リソース組合せ表に含まれる各リソースにそれぞれ割り当てられているコンピュータ端末宛に当該プロジェクトの開始指令が送信される。これらにより、プロジェクトチーム編成からプロジェクト開始までを、縦割り式の組織構造にとらわれることなく、利用可能なリソースを有効活用して遂行可能にする。この結果、近年求められている、低価格化、高品質化、短納期化を達成することが可能になる。
【発明の効果】
【００３６】
請求項１及び請求項７記載の発明によれば、社内における種々の異なる業務に係るリソースの情報が含まれるデータベースを参照して、条件に合致する職務毎のリソースが検索されて表示されるので、縦割り式の組織構造にとらわれることなく、利用可能なリソースを調査することが可能になる。すなわち、利用可能なリソースを有効活用して編成可能なチーム構成を予め把握して、プロジェクトの実現性、準備、検討等を事前に検討することが可能になる。したがって、近年の低価格化、高品質化、短納期化を達成するための一助となる。また、複数のコンピュータ端末はいずれも上記検索端末となり得るので、経営者やその代行者等のいずれの社員でも、立ち上げようとしているプロジェクトにおいて、希望条件に合致する利用可能なリソースを容易に一覧して検討することが可能になる。したがって、従来、事業に結びつかずに消滅することも多かった画期的なアイディアに対して、事業化への道が開かれることになる。
【００３７】
請求項２及び請求項８、並びに請求項３記載の発明によれば、リソース候補リストのうちから指定されたリソース（請求項３では希望条件に含まれる所望のリソース）に対して当該プロジェクトへの参加可否が打診され、参加可と回答してきたリソースの職務毎の組み合わせを示すリソース組合せ表が生成され、これが希望条件を送信してきたコンピュータ端末宛に送信されて表示されるので、利用可能なリソースを有効活用した実現性の高いチーム構成を予め把握可能になる。したがって、プロジェクトの実現性、準備、検討等を事前により現実に近い形で検討することが可能になる。
【００３８】
請求項４及び請求項９記載の発明によれば、上述してきた処理に加えて、検索端末として機能するコンピュータ端末では、サーバから送信されてきたリソース組合せ表の内容を承認する承認情報が入力され、この承認情報がコンピュータサーバに送信される。また、コンピュータサーバでは、承認情報が受信されると、承認されたリソース組合せ表に含まれる各リソースにそれぞれ割り当てられているコンピュータ端末宛に当該プロジェクトの開始指令が送信される。これらにより、プロジェクトチーム編成からプロジェクト開始まで、縦割り式の組織構造にとらわれることなく、利用可能なリソースを有効活用して遂行可能になる。この結果、近年求められている、低価格化、高品質化、短納期化を達成することも可能になる。
【００３９】
請求項５記載の発明によれば、上記リソース候補リストにおいては、希望条件に基づいてリソース候補に職務毎に優先順位がつけられている。したがって、プロジェクトの実現性、準備、検討等の事前検討が容易になる。
【００４０】
請求項６記載の発明によれば、被検索端末として機能しているコンピュータ端末から当該プロジェクトの進捗状況が送信されてきて、これがコンピュータサーバにて、コンピュータ端末のすべてから閲覧可能に保存されている。したがって、リアルタイムで進捗管理をしたり、他のプロジェクト遂行のための参考資料を容易に取得することが可能になる。
【００４１】
請求項１０記載の発明によれば、社内における種々の異なる業務に係るリソースの情報が含まれるデータベースが装備されており、チームを編成するためのリソースを検索する際の検索端末として機能しているコンピュータ端末から送信されてくる希望条件が受信されると、データベースにアクセスして、職務毎に希望条件に合致するリソース候補が検索されて、この検索結果に基づくリソース候補リストが作成され、これが希望条件を送信してきたコンピュータ端末に送信される。これにより、コンピュータ端末側において、利用可能なリソースを有効活用して編成可能なチーム構成を予め把握して、プロジェクトの実現性、準備、検討等を事前に検討することを可能にする。したがって、近年の低価格化、高品質化、短納期化を達成するための一助となる。
【００４２】
請求項１１記載の発明によれば、検索端末として機能しているコンピュータ端末にてリソース候補リストのうちから指定されたリソースが受信され、指定されたリソースに割り当てられているコンピュータ端末宛に当該プロジェクトへの参加可否が打診され、打診に応答して参加可と回答してきた指定リソースの職務毎の組み合わせを示すリソース組合せ表が生成され、これが希望条件を送信してきたコンピュータ端末（検索端末）宛に送信される。これにより、コンピュータ端末側において、利用可能なリソースを有効活用した実現性の高いチーム構成を予め把握することを可能にする。したがって、プロジェクトの実現性、準備、検討等を事前により現実に近い形で検討することが可能になる。
【００４３】
請求項１２記載の発明によれば、上述してきた処理に加えて、希望条件を送信してきたコンピュータ端末にて入力されたリソース組合せ表の内容を承認する承認情報が受信されると、リソース組合せ表に含まれる各リソースにそれぞれ割り当てられているコンピュータ端末宛に当該プロジェクトの開始指令が送信される。これらにより、プロジェクトチーム編成からプロジェクト開始までを、縦割り式の組織構造にとらわれることなく、利用可能なリソースを有効活用して遂行可能にする。この結果、近年求められている、低価格化、高品質化、短納期化を達成することが可能になる。
【発明を実施するための最良の形態】
【００４４】
以下、本発明の実施の形態を図面に基づいて説明する。まず、図２及び図３を用いて、本発明で対象とされる組織構成及び本発明の実施形態に係るシステム構成について説明する。図２は、本発明で対象とされる組織構成の一例を示す図である。図３は、本発明の一実施形態に係るシステムの全体構成を示す図である。
【００４５】
図２に示すように、例えば、車両メーカや大手部品メーカ等をはじめとする比較的規模の大きい会社では、事業部制或いはユニット制等とよばれる独立採算性の組織がしかれている。このような組織においては、営業部門２、設計部門３、製造部門４等においてそれぞれ、各顧客Ａ〜Ｄに対してそれぞれ割り当てられた各事業部（各ユニット）が存在し、更に各事業部が複数の部、課、各個人で構成されている。また、組織には、営業部門２、設計部門３、製造部門４等の他にも、経営者５や研究開発等のその他部門６が存在する。また、図２に示す営業窓口１は、各顧客Ａ〜Ｄにそれぞれ割り当てらた営業窓口１Ａ〜１Ｄ（不図示）から構成されることもあるし、これを営業部門２が兼務することもある。なお、各部門、各部署のよび方は、会社によって様々である。本実施形態では、このような組織構成において、各部門、各部署からアクセス可能な、リソースデータベース１１ａ（正確には、リソースデータベース格納手段）が備わっている。
【００４６】
図３に示すように、営業部門２、設計部門３、製造部門４、経営者５やその他部門６に属する各個人には基本的に、インターネットやＬＡＮ等で構成されるネットワーク回線７を介して接続された、複数のコンピュータ端末２１、２２、３１、３２、４１、４２、５１、６１が配置されている。また、ネットワーク回線７には、例えば、営業窓口１に近接して配置されたコンピュータサーバ１１も接続されている。リソースデータベース１１ａには、コンピュータサーバ１１を介して、いずれのコンピュータ端末からもアクセス可能となっている。すなわち、本システムは、コンピュータサーバ１１を中心とするコンピュータネットワークシステムとして構成されている。
【００４７】
複数のコンピュータ端末２１〜６１は、上述のように各個人にそれぞれ対応して配置されていてもよいし、場合によっては個人が属する部や課等に対応して配置されていてもよいし、事業部や工場に対応して配置されていてもよい。また、特定の製品や部品を製造する工場や製造設備に対応して配置されていてもよい。各個人、各部、各課、各事業部、各工場や製造設備等のように、特定のプロジェクトを遂行するために利用可能な物資や人材（個人或いは個人の集まりの場合もある）を、本明細書中では、リソースとよぶ。したがって、各コンピュータ端末２１〜６１が、このようなリソース毎にそれぞれ割り当てられているものする。なお、本明細書中、コンピュータ端末２１〜６１は、各リソース毎にそれぞれ割り当てられた固有のアドレスを意図するものである。実際には、１台のコンピュータ端末で複数のアドレスを利用することもあるが、本発明の主旨を理解しやすくするために、以下の説明では、コンピュータ端末に固定的に固有のアドレスが割り当てられているものとする。
【００４８】
リソースデータベース１１ａは、例えば、スキルデータ、スケジュールデータ、原価データ、顧客データ、健康データ及びその他データから構成される。スキルデータは、部門〜個人単位のそれぞれのスキル、例えば、特定分野における実務能力や資格に関するデータである。このデータは、既存のスキル評価ソフト等から得られるデータを流用するようにしてもよい。
【００４９】
スケジュールデータは、部門〜個人単位のそれぞれの業務日程に関するデータである。このデータは、既存のスケジュール管理ソフト等から得られるデータを流用するようにしてもよい。また、原価データは、部門〜個人単位のそれぞれの人件費や原価に関するデータである。このデータは、既存の原価管理ソフト等から得られるデータを流用するようにしてもよい。
【００５０】
顧客データは、顧客単位のそれぞれの引き合い条件、希望価格、技術動向、興味がある技術、過去のプレゼンテーションの内容、量や価格を含む受注状況、規格等に関するデータである。このデータは、既存の顧客情報管理ソフト等から得られるデータを流用するようにしてもよい。また、健康データは、個人単位のそれぞれの健康状態に関するデータである。このデータは、既存の健康診断結果管理ソフトや産業医の電子カルテ等から得られるデータを流用するようにしてもよい。また、その他データは、部門〜個人単位のそれぞれの有給休暇取得予定、稼働予定日、個人的な要件等の上記データに含まれないデータである。
【００５１】
次に、上記コンピュータサーバ及び各コンピュータ端末の構成について、図４を用いて説明する。図４は、図３のコンピュータサーバ及び各コンピュータ端末の基本構成を示すブロック図である。コンピュータサーバ１１及びコンピュータ端末２１〜６１は共に、図４に示すように、マイクロコンピュータ１０１、入力部１０２、表示部１０３、印字部１０４、記憶部１０５、及び通信インターフェース１０６を含んで基本構成される周知のデスクトップコンピュータで具現化される。
【００５２】
マイクロコンピュータ１０１は、ＣＰＵ１０１ａ（中央演算装置）、ブートプログラム等を記憶するＲＯＭ１０１ｂ、各種処理結果を一時的に記憶するＲＡＭ１０１ｃを含む。入力部１０２は上記各値等を入力するキーボード、マウス等であり、表示部１０３は処理結果を表示するＣＲＴやＬＣＤ等であり、印字部１０４は処理結果を印字するプリンタである。また、記憶部１０５は、各種データベースや処理結果を記憶するハードディスクドライブである。コンピュータサーバ１１にあてはめると、記憶部１０５には、リソースデータベース１１ａが格納されることになる。この場合、記憶部１０５は請求項のリソースデータベース格納手段に対応し、コンピュータサーバ１１は請求項のプロジェクトチーム編成装置に対応することになる。通信インターフェース１０６は、例えば、上記ネットワーク回線７に接続されて、他装置や他端末とデータ通信を行うためのモデムボード等である。これらの各構成要素は、内部バス１０７を介して接続されている。ＣＰＵ１０１ａは、ＲＯＭ１０１ｂに記憶されるブートプログラムにしたがって起動され、本発明に係る処理手順を示すアプリケーションプログラムにしたがって動作する。
【００５３】
更に、図５に図６及び図７を加えて、本発明の実施形態に係る処理手順について説明する。図５は、本発明の一実施形態に係る、コンピュータサーバ、コンピュータ端末、及びそれらの間で行われる処理手順を示すフローチャートである。図６（Ａ）及び図６（Ｂ）は、リソース候補検索処理を説明するための図である。図７（Ａ）、図７（Ｂ）、及び図７（Ｃ）はそれぞれ、リソース候補リスト、指定リソース、及びリソース組合せ表の一例を示す図である。
【００５４】
ここでは、経営者５が、特定のプロジェクトに対するチーム編成の発起人であるものとし、そのコンピュータ端末５１を用いて、このプロジェクトのチーム編成をする際の処理手順を例示する。但し、発起人は、経営者５に限定されず、その代行者や、営業部門２に属する一社員或いはその他部門６に属する一社員等であってもよい。
【００５５】
まず、ステップＳ５１１において、コンピュータ端末５１にて、立ち上げるプロジェクトにおける職務毎の希望条件が入力される。希望条件としては、例えば、販価、原価等の価格に関する条件、要求される品質に関する条件、必要な機能に関する条件、顧客への納期に関する条件等である。また、希望条件として、直接、事業部名、個人名を指定するようにしてもよい。更に、希望条件として、スキル、業務日程、原価、健康状態等を指定するようにしてもよい。また更に、これらの組み合わせでもよい。このような希望条件が入力されるコンピュータ端末を検索端末とよぶ。ここでは、コンピュータ端末５１が検索端末として機能しているが、他のコンピュータ端末２１、等も検索端末となり得る。そして、ステップＳ５１２において、この希望条件が、ネットワーク回線７を介して、コンピュータサーバ１１に送信される。なお、ステップＳ５１１は、請求項の希望条件入力ステップ及び希望条件入力手段に対応し、ステップＳ５１２は、請求項の希望条件送信ステップ及び希望条件送信手段に対応する。
【００５６】
コンピュータサーバ１１では、ステップＳ１１１において、希望条件が受信され、ステップＳ１１２において、上記リソースデータベース１１ａを参照しつつ、職務毎に希望条件に合致するリソース候補が検索される。補足すると、図６（Ａ）に示すように、リソースデータベース１１ａとして、リソースａ、ｂ、ｃ、ｄ、…、単位で、スキルデータ、業務日程データ、原価データ、顧客データ、健康データ、その他データが分類されており、希望条件として、スキル、業務日程、原価、顧客、健康、その他の各項目に対してそれぞれ条件が設定されているとして、リソースａ、ｂ、ｃ、ｄ、…、毎に、それらの条件に合致するか否かを判定していく。図６（Ａ）中、線で囲んだ部分が合致したものとすると、合致した項目が多い順から、例えば、リソースａ、ｂ、ｃ、ｄ、というふうに、優先順位をつけてピックアップしていく。これを、当該プロジェクトにおける職務毎、例えば、営業部門、設計部門、製造部門毎にそれぞれ行う。リソースは、上述したように、各個人、各部、各課、各事業部、各工場や製造設備等である。検索する際に、各検索項目に重み付けをしておき、合致項目に重み付けを乗算した結果が、高いリソースから順に優先順位をつけるようにしてもよい。
【００５７】
他の検索方法として、図６（Ａ）に示すような構成のデータベースに加えて、図６（Ｂ）に示すように、検索条件となりうる項目毎に、スキルデータ、業務日程データ、原価データ、顧客データ、健康データ、その他データに予め重みづけ点数が割り付けられているとする。例えば、図６（Ｂ）中、スキルと価格との重みづけ点数は４、スキルと品質との重みづけ点数は５、というふうにそれぞれ、予め割り付けられているものとする。ここでは、希望条件としては、上記スキル、業務日程、原価、顧客、健康、その他の各項目の他に、価格、品質、機能、納期に対してそれぞれ条件が設定されているとする。
【００５８】
そうすると、この場合、価格、品質、機能、納期を総合して、最も重みづけ点数の合計が高いのはスキルであり、その次は業務日程であること等がわかる。そして、スキル、業務日程、原価、顧客、健康、その他に対応する合計重みづけ点数をそれぞれ割り当て、図６（Ａ）で示したような合致項目に対して、各合計重みづけ点数を乗算して、それらの合計点数が高い方から順に優先順位をつけるようする。これを、当該プロジェクトにおける職務毎、例えば、営業部門、設計部門、製造部門毎にそれぞれ行う。
【００５９】
なお、ここで示した検索処理は一例であり、本発明を限定するものではない。要は、希望条件に合致する職務毎のリソースをピックアップすればよい。この場合、優先順位をつけることが好ましいが、単に職務毎に複数のリソースをピックアップするだけでもよい。上記ステップＳ１１１は、請求項の希望条件受信ステップ及び希望条件受信手段に対応する。
【００６０】
このような検索処理が終了すると、コンピュータサーバ１１では、ステップＳ１１３において、リソース候補リストが作成される。リソース候補リストは、図７（Ａ）に示すように、職務毎、例えば、営業部門、設計部門、製造部門毎に、上記優先順位にしたがって、第１候補（ａ、ｈ、ｘ）、第２候補（ｂ、ｉ、ｙ）、第３候補（ｃ、ｊ、ｚ）を示すようにする。勿論、第４候補以降も示すようにしてもよいし、或いは第２候補まであってもよい。職務も、上記部門に限定されるものではない。また、単に、職務毎に複数のリソースを示すだけであってもよい。但し、優先順位を示すことにより、プロジェクトの実現性、準備、検討等の事前検討や後で行われるリソースの指定が容易になる。なお、上記ステップＳ１１２及びステップＳ１１３は、請求項のリソース候補リスト作成ステップ及びリソース候補リスト作成手段に対応する。
【００６１】
このように作成されたリソース候補リストは、ステップＳ１１４において、コンピュータサーバ１１から、希望条件を送信してきたコンピュータ端末５１宛にネットワーク回線７を介して送信される。ステップＳ１１４は、請求項のリソース候補リスト送信ステップ及びリソース候補リスト送信手段に対応する。
【００６２】
ステップＳ５１３において、リソース候補リストを受信したコンピュータ端末５１では、続いて、ステップＳ５１４において、このリストが表示部１０３にて表示される。また、リソース候補リストは、印字部１０４にてプリントアウトされるようにしてもよい。なお、ステップＳ５１３は、請求項のリソース候補リスト受信ステップ及びリソース候補リスト受信手段に対応し、ステップＳ５１４は、請求項のリソース候補リスト表示ステップ及びリソース候補リスト表示手段に対応する。
【００６３】
上述した処理手順により、縦割り式の組織構造にとらわれることなく、利用可能なリソースを調査することが可能になる。すなわち、利用可能なリソースを有効活用して編成可能なチーム構成を予め把握して、プロジェクトの実現性、準備、検討等を事前に検討することが可能になる。また、複数のコンピュータ端末はいずれも上記検索端末となり得るので、経営者のみならず、いずれの社員でも、立ち上げようとしているプロジェクトにおいて、希望条件に合致する利用可能なリソースを容易に一覧して検討することが可能になる。したがって、従来、事業に結びつかずに消滅することも多かった画期的なアイディアに対して、事業化への道が開かれることになる。
【００６４】
続いて、コンピュータ端末５１では、ステップＳ５１５において、リソースの指定が行われる。リソースの指定は、例えば、コンピュータ端末５１が割り当てられている経営者５にて、入力部１０２を用いて行われる。リソースの指定に際しては、図７（Ｂ）に示すように、受信されたリソース候補リストのうちから希望するリソースを職務毎に指定する。このとき、リソース候補リストの優先順位を参照して、第１希望、第２希望、第３希望というふうに希望順位をつけるようにする。この順位は、優先順位そのままであってもよいし、図７（Ｂ）に示すように、変更してもよい。或いは、第１希望のみを指定するようにしてもよい。そして、ステップＳ５１６において、これが指定リソースとしてコンピュータサーバ５１にネットワーク回線７を介して送信される。なお、ステップＳ５１５は、請求項のリソース指定ステップ及びリソース指定手段に対応し、ステップＳ５１６は、請求項の指定リソース送信ステップ及び指定リソース送信手段に対応する。
【００６５】
コンピュータサーバ５１では、ステップＳ１１５において、指定リソースが受信され、ステップＳ１１６において、指定リソースにそれぞれ割り当てられている各コンピュータ端末２１等宛に当該プロジェクトへの参加可否がネットワーク回線７を介して打診される。ステップＳ１１５は、請求項の指定リソース受信ステップ及び指定リソース受信手段に対応し、ステップＳ１１６は、請求項の参加可否打診ステップ及び参加可否打診手段に対応する。
【００６６】
ステップＳ２１１において、この打診を受信した各コンピュータ端末２１等では、続いて、ステップＳ２１２において、この打診に対する回答として当該プロジェクトへの参加可否情報が入力部１０２にて入力される。なお、打診されたコンピュータ端末に対応するリソース側では、当該プロジェクトへの参加許可が必要となる。この場合には、このリソースのひとつ上層の許可を受けることにより、当該プロジェクトへの参加可否を決定するものとする。そして、ステップＳ２１３において、参加可否情報を示す回答が、コンピュータサーバ５１にネットワーク回線７を介して送信される。なお、打診されたコンピュータ端末２１等を被検索端末とよぶ。ここでは、コンピュータ端末２１が検索端末として機能しているが、他のコンピュータ端末も検索端末となり得る。なお、ステップＳ２１１は、打診受信ステップ及び打診受信手段に対応し、ステップＳ２１２は、請求項の参加可否情報入力ステップ及び参加可否情報入力手段に対応し、ステップＳ２１３は、請求項の参加可否情報送信ステップ及び参加可否情報送信手段に対応する。
【００６７】
ステップＳ１１７において、参加可否情報が示される回答を受信したコンピュータサーバ５１では、参加不可と回答してきたコンピュータ端末、すなわち、リソースに替えて、上記希望順位にしたがって、次のコンピュータ端末に対して、当該プロジェクトへの参加を打診する。この打診は、全職務において、参加可のリソースの組み合わせが決定するまで試行されるが、参加可のリソース（参加受入先）の組み合わせが決定できない場合もありうるし、一度の打診のみで組み合わせが決定する場合もありうる。なお、ステップＳ１１７は、請求項の参加可否情報受信ステップ及び参加可否情報受信手段に対応する。
【００６８】
このようにして、職務毎に参加可のリソースの組み合わせが決定すると、ステップＳ１１８において、図７（Ｃ）に示すような、参加可のリソース（参加受入先）の組み合わせを示すリソース組合せ表が作成される。そして、ステップＳ１１９において、この表が上記希望条件を送信してきたコンピュータ端末５１宛にネットワーク回線７を介して送信される。なお、ステップＳ１１８は、請求項のリソース組合せ表生成ステップ及びリソース組合せ表生成手段に対応し、ステップＳ１１９は、請求項のリソース組合せ表送信ステップ及びリソース組合せ表送信手段に対応する。
【００６９】
ステップＳ５１７において、リソース組合せ表を受信したコンピュータ端末５１では、続いて、ステップＳ５１８において、このリストが表示部１０３にて表示される。ステップＳ５１７は、請求項のリソース組合せ表受信ステップ及びリソース組合せ表受信手段に対応し、ステップＳ５１８は、請求項のリソース組合せ表表示ステップ及びリソース組合せ表表示手段に対応する。
【００７０】
上述した処理手順により、利用可能なリソースを有効活用した実現性の高いチーム構成を予め把握可能になる。したがって、プロジェクトの実現性、準備、検討等を事前により現実に近い形で検討することが可能になる。
【００７１】
そして、ステップＳ５１９において、入力部１０２にてリソース組合せ表の内容を承認する承認情報が入力されると、ステップＳ５２０において、この承認情報がネットワーク回線７を介してコンピュータサーバ１１に送信される。なお、経営者５等の当該プロジェクトの発起人にて、リソース組合せ表の内容が承認されない場合もありうる。この場合には、入力部１０２にて非承認情報が入力され、上記ステップＳ５１１に戻るようにする。そして、希望条件が変更されると、この条件に基づいて同様の処理が繰り返されることになる。なお、ステップＳ５１９は、請求項の承認情報入力ステップ及び承認情報入力手段に対応し、ステップＳ５２０は、請求項の承認情報送信ステップ及び承認情報送信手段に対応する。
【００７２】
ステップＳ１２０において、承認情報を受信したコンピュータサーバ１１では、続いて、ステップＳ１２１において、承認されたリソース組合せ表に含まれる各リソースにそれぞれ割り当てられているコンピュータ端末宛に当該プロジェクトの開始指令がネットワーク回線７を介して送信される。なお、ステップＳ１２０は、請求項の承認情報受信ステップ及び承認情報受信手段に対応し、ステップＳ１２１は、請求項の開始指令送信ステップ及び開始指令送信手段に対応する。
【００７３】
そして、ステップＳ２１４において、この開始指令を受信したコンピュータ端末２１側では、当該プロジェクトが開始可能となる。
【００７４】
上述した処理手順により、プロジェクトチーム編成からプロジェクト開始まで、縦割り式の組織構造にとらわれることなく、利用可能なリソースを有効活用して遂行可能になる。この結果、近年求められている、低価格化、高品質化、短納期化を達成することも可能になる。
【００７５】
なお、プロジェクトの開始後には、各コンピュータ端末２１側にて、業務計画、進捗、結果情報が逐次入力及び送信され（ステップＳ２１５）、これらがコンピュータサーバ１１で受信され（ステップＳ１２２）、コンピュータ端末のすべてから閲覧可能に保存される（ステップＳ１２３）ようにすることが好ましい。こうすることにより、リアルタイムで進捗管理をしたり、他のプロジェクト遂行のための参考資料を容易に取得することが可能になる。ステップＳ２１５、ステップＳ１２２及びステップＳ１２３はそれぞれ、請求項の進捗状況送信ステップ、進捗状況受信ステップ及び進捗状況保存ステップに対応する。
【００７６】
図５に基づいて説明した実施形態に対して、以下の変形例が考えられる。すなわち、コンピュータサーバは、図５に示すステップＳ１１１で所望のリソース情報を含む希望条件を受信した後、直接、ステップＳ１１６以降に進み、打診結果を希望条件を送信してきたコンピュータ端末側に返送するようにしてもよい（請求項３に対応する）。
【００７７】
また、図５に基づいて説明した実施形態では、図７（Ｂ）に示すような希望順位にしたがって、コンピュータサーバ１１が、全職務において参加可のリソースの組み合わせが決定するまで打診を試行してリソース組合せ表を生成する例を示したが、以下のようにして、リソース組合せ表を生成するようにしてもよい。すなわち、検索端末にて指定される各職務毎のリソースの組み合わせは一通りだけ（第１希望のみ）とし、コンピュータサーバ１１では、この組み合わせに含まれるリソースのみに参加可否の打診を行うものとする。そして、組み合わせに含まれる全リソースから参加可の回答を得られない場合には、その旨を検索端末側に通知し、リソース候補リストにしたがって検索端末側で、次のリソースの組み合わせを再度一通りだけで指定させるようにする。このような処理を、組み合わせに含まれる全リソースから参加可の回答が得られるまで、試行するようにする。このようにすると、リソース構成（組み合わせ）自体を、検索端末側で検討しつつ指定することが可能になる。
【００７８】
以上のように、本発明の実施形態によれば、プロジェクトチーム編成からプロジェクト開始まで、縦割り式の組織構造にとらわれることなく、利用可能なリソースを有効活用して遂行可能になる。この結果、近年求められている、低価格化、高品質化、短納期化を達成することが可能になる。また、経営者のみならず、その代行者等のいずれの社員でも、プロジェクトを遂行可能になる。したがって、従来、事業に結びつかずに消滅することも多かった画期的なアイディアに対して、事業化への道が開かれることになる。更に、新製品の売り込み先、その量、価格設定等、進捗管理も容易に行えるようになる。
【図面の簡単な説明】
【００７９】
【図１】本発明の基本構成を示すブロック図である。
【図２】本発明で対象とされる組織構成の一例を示す図である。
【図３】本発明の一実施形態に係るシステムの全体構成を示す図である。
【図４】図３のコンピュータサーバ及び各コンピュータ端末の基本構成を示すブロック図である。
【図５】本発明の一実施形態に係る、コンピュータサーバ、コンピュータ端末、及びそれらの間で行われる処理手順を示すフローチャートである。
【図６】図６（Ａ）及び図６（Ｂ）は、リソース候補検索処理を説明するための図である。
【図７】図７（Ａ）、図７（Ｂ）、及び図７（Ｃ）はそれぞれ、リソース候補リスト、指定リソース、及びリソース組合せ表の一例を示す図である。
【符号の説明】
【００８０】
１  営業窓口
２  営業部門
３  設計部門
４  製造部門
５  経営者
６  その他部門
７  ネットワーク回線
１１  コンピュータサーバ
１１ａ  リソースデータベース
２１〜４２、５１、６１  コンピュータ端末
【図１】
2005157630.tif 000003
【図２】
2005157630.tif 000004
【図３】
2005157630.tif 000005
【図４】
2005157630.tif 000006
【図５】
2005157630.tif 000007
【図６】
2005157630.tif 000008
【図７】
2005157630.tif 000009